(57)【要約】【課題】  嗜好情報の入力なしに、使用者の嗜好イ情報に従った嗜好番組を自動的に予約して限られた容量の記録媒体に録画できる番組記録再生システムを実現する。【解決手段】  受信番組を記録すると共に選択された再生速度で再生する記録再生手段１２と、再生速度と経過時間を対応付けた再生履歴情報を生成する履歴情報生成手段１４と、電子番組表情報に記述される受信番組のメタデータを取得する番組情報取得手段２５と、履歴情報生成手段で生成された操作履歴情報を取得する履歴情報取得手段２２と、標準速度以下で再生される番組部分とその番組部分のメタデータとを比較して個別情報を検出する個別情報検出手段２３と、個別情報から更新された嗜好情報を生成する嗜好情報更新手段２４と、新たな番組メタデータを嗜好情報で検索し、検索された嗜好イ番組の録画予約を設定させる録画予約制御手段２７とを備えて実現した。【選択図】      図１
2008301190.tif 000002
【特許請求の範囲】
【請求項１】
受信される番組を録画すると共に、録画された番組を操作により再生する記録再生装置と、外部から電子番組表情報を取得すると共に、前記記録再生装置から前記操作に係る操作情報を取得し、取得された前記操作情報と取得された前記電子番組表情報とから操作者の嗜好番組に係る嗜好情報を抽出し、抽出された前記嗜好情報を用いて前記記録再生装置に録画予約させる嗜好抽出サーバと、を有する番組記録再生システムにおいて、
前記記録再生装置は、
予約された番組を受信して記録媒体に記録する録画手段と、
前記記録媒体に記録された番組を、操作者により選択された再生速度に従って再生する再生手段と、
前記再生手段による前記番組の再生時に、前記操作者による操作時間を前記録画手段で録画した前記番組の受信開始時刻からの時間に対応させた経過時間と、当該経過時間における前記再生速度とを対応付けた再生履歴情報を生成する履歴情報生成手段と、
を備えて構成する一方、
前記嗜好抽出サーバは、
前記電子番組表情報、及び前記電子番組表情報に記述される受信番組の経過時間ごとの出演者名を含んで記述される番組メタデータを外部から取得する番組情報取得手段と、
前記履歴情報生成手段で生成された前記操作履歴情報を取得する履歴情報取得手段と、
前記操作履歴情報に含まれる経過時間のうち、再生速度が標準速度より速い速度から標準速度以下の速度に変更して再生された時間部分、又は標準再生速度から標準再生速度より遅い再生速度に変更して再生された時間部分の少なくとも何れか一方の時間部分を検知する一方、前記検知された時間部分と前記番組情報取得手段で取得された番組メタデータとを比較して前記番組メタデータに記述される当該時間部分の個別データを検出する個別情報検出手段と、
前記嗜好情報に含まれる過去に検出された個別データと、新たに検出された個別データとから更新された嗜好情報を生成する嗜好情報更新手段と、
前記嗜好情報の更新後に、新たに取得した番組メタデータを前記更新された嗜好情報で検索し、検索された受信番組がある場合には前記記録再生装置の録画手段に当該受信番組の録画予約を設定させる録画予約制御手段と、
を備えて構成させることを特徴とする番組記録再生システム。
【請求項２】
番組を録画すると共に、操作により録画された番組を再生する記録再生装置と、外部から電子番組表情報を取得すると共に、前記記録再生装置から前記操作に係る操作情報を取得し、取得された前記操作情報と取得された前記電子番組表情報とから操作者の嗜好番組に係る嗜好情報を抽出し、抽出された前記嗜好情報を用いて前記記録再生装置に録画予約をさせる番組記録再生方法において、
前記電子番組表情報、及び前記電子番組表情報に記述される受信番組の経過時間ごとの出演者名を含んで記述される番組メタデータを外部から取得し、
予約された番組を受信して得られる受信信号を記録媒体に記録し、
前記記録媒体に記録された番組を、操作者により選択された再生速度に従って再生し、
再生時に、前記操作者による操作時間を前記録画した前記番組の受信開始時刻からの時間に対応させた経過時間とし、前記再生速度と前記経過時間とを対応付けた再生履歴情報として生成し、
前記操作履歴情報に含まれる経過時間のうち、再生速度が標準速度より速い速度から標準速度以下の速度に変更して再生された時間部分、又は標準再生速度から標準再生速度より遅い再生速度に変更して再生された時間部分の少なくとも何れか一方の時間部分を検知する一方、前記検知された時間部分と前記取得された番組メタデータとを比較して当該時間部分の出演者名を含む個別情報を検出し、
前記嗜好情報に含まれる過去に検出された個別情報と、新たに検出された個別情報とから更新された嗜好情報を生成し、
前記嗜好情報の更新後に、新たに取得した番組メタデータを前記更新された嗜好情報により検索し、検索された受信番組がある場合には当該受信番組の録画予約を設定させることを特徴とする番組記録再生方法。
【発明の詳細な説明】
【技術分野】
【０００１】
本発明は、録画した番組視聴時の機器操作情報を基に使用者の番組嗜好情報を得、その嗜好情報を用いて受信番組の録画予約を設定して記録を行うことができる番組記録再生システム及び番組記録再生方法に関する。
【背景技術】
【０００２】
最近になり、ハードディスクやＤＶＤなどランダムアクセス可能な記録媒体に受信される番組を記録して再生する記録再生装置が広く市場導入されるようになってきた。特に、ハードディスクレコーダは多くの番組を予約して記録し、視聴時間が確保できる時間帯に使用者の希望する番組を再生できるなど、使用者の行動パターンは番組の受信時刻に合わせてなされるパターンから、使用者の行動の中に番組の視聴を取り入れるパターンに変わってきている。
【０００３】
一方、ハードディスクの記録時間には、記録媒体の高密度化が進んではいるものの、依然として限りがあるため受信番組を全て記録しておくことは出来ない。さらに受信チャンネルも多くあり、同時に多数チャンネルの番組を記録するにも限りがある。そこで、番組の受信履歴から使用者の嗜好情報を抽出する一方、インターネットなどから番組情報を入手して嗜好する番組のみを検索して自動的に予約して録画すれば、使用者は嗜好する番組を電子番組表などから探し出し、予約して録画する手間を省くことが出来、さらには録画忘れを防ぐことが出来る。煩雑な操作を行うことなく、さらに記録装置を制御するＣＰＵの負担を少なくし、且つ使用者の嗜好情報を的確に抽出できれば、限られた容量の記録媒体に使用者の希望する嗜好番組のみを録画することが出来る。使用者の嗜好に合致した番組を自動的に予約して録画する番組記録再生システム及び番組記録再生方法ができることは好ましい。
【０００４】
特許文献１には、煩わしい録画作業をすることなく、興味に沿った番組を必ず視聴することができるような番組データ配信サービスシステムが開示されている。その番組データ配信サービスシステムは、インターネットに接続可能な端末と番組を格納するサーバとから構成され、端末において、サービス加入者より入力部に嗜好情報が入力されると、端末制御部は、嗜好情報を、インタフェース部を介してサーバへ送信する。サーバはインタフェース部で受信した嗜好情報を基に、番組データ検索部は、番組データ格納部から番組を検索し、サーバ制御部が検索結果である番組を、インタフェース部を介して端末へ送信する。端末は送信された番組を番組データ格納部に格納し、表示部で表示することにより、使用者には録画しようという意志がなくても様々な番組を視聴することができる番組データ配信サービスシステムが開示されている。
【特許文献１】特開２００４−７２３００号公報
【発明の開示】
【発明が解決しようとする課題】
【０００５】
しかしながら、特許文献１に開示されている番組データ配信サービスシステムでは使用者より入力された嗜好情報が用いられて嗜好番組の検索が行われる。使用者により的確な嗜好情報が入力されない限り合致度合いの高い嗜好番組が検索され難い。検索された番組を自動的に予約して録画する場合では必ずしも嗜好の一致しない番組が記録媒体に記録されてしまうため、記録媒体の容量が不足してしまうこともあったり、嗜好度の高い番組の録画がなされないこともあるなど、必ずしも使用者の嗜好に合致した番組のみを自動的に予約して録画することのできる番組記録再生システム及び番組記録再生方法を実現することはできなかった。
【０００６】
そこで、本発明は、上記のような問題点を解消するためになされたもので、特に、使用者による煩雑な嗜好情報の入力がなされない場合であっても、精度を高められた嗜好情報により、使用者の嗜好に合致した番組を限られた容量の記録媒体に自動的に予約して録画することを可能とする番組記録再生システム及び番組記録再生方法を提供することを目的とする。
【課題を解決するための手段】
【０００７】
本願発明における第１の発明は、受信される番組を録画すると共に、録画された番組を操作により再生する記録再生装置と、外部から電子番組表情報を取得すると共に、前記記録再生装置から前記操作に係る操作情報を取得し、取得された前記操作情報と取得された前記電子番組表情報とから操作者の嗜好番組に係る嗜好情報を抽出し、抽出された前記嗜好情報を用いて前記記録再生装置に録画予約させる嗜好抽出サーバと、を有する番組記録再生システムにおいて、前記記録再生装置は、予約された番組を受信して記録媒体に記録する録画手段と、前記記録媒体に記録された番組を、操作者により選択された再生速度に従って再生する再生手段と、前記再生手段による前記番組の再生時に、前記操作者による操作時間を前記録画手段で録画した前記番組の受信開始時刻からの時間に対応させた経過時間と、当該経過時間における前記再生速度とを対応付けた再生履歴情報を生成する履歴情報生成手段と、を備えて構成する一方、前記嗜好抽出サーバは、前記電子番組表情報、及び前記電子番組表情報に記述される受信番組の経過時間ごとの出演者名を含んで記述される番組メタデータを外部から取得する番組情報取得手段と、前記履歴情報生成手段で生成された前記操作履歴情報を取得する履歴情報取得手段と、前記操作履歴情報に含まれる経過時間のうち、再生速度が標準速度より速い速度から標準速度以下の速度に変更して再生された時間部分、又は標準再生速度から標準再生速度より遅い再生速度に変更して再生された時間部分の少なくとも何れか一方の時間部分を検知する一方、前記検知された時間部分と前記番組情報取得手段で取得された番組メタデータとを比較して前記番組メタデータに記述される当該時間部分の個別データを検出する個別情報検出手段と、前記嗜好情報に含まれる過去に検出された個別データと、新たに検出された個別データとから更新された嗜好情報を生成する嗜好情報更新手段と、前記嗜好情報の更新後に、新たに取得した番組メタデータを前記更新された嗜好情報で検索し、検索された受信番組がある場合には前記記録再生装置の録画手段に当該受信番組の録画予約を設定させる録画予約制御手段と、を備えて構成させることを特徴とする番組記録再生システムを提供する。
第２の発明は、番組を録画すると共に、操作により録画された番組を再生する記録再生装置と、外部から電子番組表情報を取得すると共に、前記記録再生装置から前記操作に係る操作情報を取得し、取得された前記操作情報と取得された前記電子番組表情報とから操作者の嗜好番組に係る嗜好情報を抽出し、抽出された前記嗜好情報を用いて前記記録再生装置に録画予約をさせる番組記録再生方法において、前記電子番組表情報、及び前記電子番組表情報に記述される受信番組の経過時間ごとの出演者名を含んで記述される番組メタデータを外部から取得し、予約された番組を受信して得られる受信信号を記録媒体に記録し、前記記録媒体に記録された番組を、操作者により選択された再生速度に従って再生し、再生時に、前記操作者による操作時間を前記録画した前記番組の受信開始時刻からの時間に対応させた経過時間とし、前記再生速度と前記経過時間とを対応付けた再生履歴情報として生成し、前記操作履歴情報に含まれる経過時間のうち、再生速度が標準速度より速い速度から標準速度以下の速度に変更して再生された時間部分、又は標準再生速度から標準再生速度より遅い再生速度に変更して再生された時間部分の少なくとも何れか一方の時間部分を検知する一方、前記検知された時間部分と前記取得された番組メタデータとを比較して当該時間部分の出演者名を含む個別情報を検出し、前記嗜好情報に含まれる過去に検出された個別情報と、新たに検出された個別情報とから更新された嗜好情報を生成し、前記嗜好情報の更新後に、新たに取得した番組メタデータを前記更新された嗜好情報により検索し、検索された受信番組がある場合には当該受信番組の録画予約を設定させることを特徴とする番組記録再生方法を提供する。
【発明の効果】
【０００８】
本発明によれば、電子番組表情報、及び電子番組表情報に記述される受信番組の経過時間ごとの出演者名を含んで記述される番組メタデータを外部から取得し、予約された番組を受信して得られる受信信号を記録媒体に記録し、記録媒体に記録された番組を、操作者により選択された再生速度に従って再生し、再生時に、操作者による操作時間を録画した番組の受信開始時刻からの時間に対応させた経過時間とし、再生速度と経過時間とを対応付けた再生履歴情報として生成し、操作履歴情報に含まれる経過時間のうち、再生速度が標準速度より速い速度から標準速度以下の速度に変更して再生された時間部分、又は標準再生速度から標準再生速度より遅い再生速度に変更して再生された時間部分の少なくとも何れか一方の時間部分を検知する一方、検出された時間部分と取得された番組メタデータとを比較して当該時間部分の出演者名を含む個別情報を検出し、嗜好情報に含まれる過去に検出された個別情報と、新たに検出された個別情報とから更新された嗜好情報を生成し、嗜好情報の更新後に、新たに取得した番組メタデータを更新された嗜好情報により検索し、検索された受信番組がある場合には当該受信番組の録画予約を設定させる格別な構成があるので、特に、使用者による煩雑な嗜好情報の入力がなされない場合であっても、精度を高められた嗜好イ情報により、使用者の嗜好に合致した番組を限られた容量の記録媒体に自動的に予約して録画することを可能とする番組記録再生システム及び番組記録再生方法を実現できる。
【発明を実施するための最良の形態】
【０００９】
以下に本発明の実施例に係る番組記録再生システムについて図１〜図８を用いて説明する。
図１は、本発明の実施に係る番組記録再生システムの構成例を示すブロック図である。図２は、本発明の実施に係る番組記録再生システムの要部の構成例を示すブロック図である。図３は、本発明の実施に係る番組記録再生システムの動作例を説明するための図である。図４は、本発明の実施に係る番組記録再生応用システムの構成例を示すブロック図である。図５は、本発明の実施に係る番組記録再生応用システムの要部の構成例を示すブロック図である。図６は、本発明の実施に係る番組記録再生応用システムの動作例を説明するための図（その１）である。図７は、本発明の実施に係る番組記録再生応用システムの動作例を説明するための図（その２）である。図８は、本発明の実施に係る番組記録再生応用システムの動作例を説明するための図（その３）である。
【００１０】
その番組記録再生システムは、特に、使用者による煩雑な嗜好情報の入力がなされない場合であっても、精度を高められた嗜好イ情報により、使用者の嗜好に合致した番組を限られた容量の記録媒体に自動的に予約して録画することを可能とする番組記録再生システムを実現するという目的を、電子番組表情報、及び電子番組表情報に記述される受信番組の経過時間ごとの出演者名を含んで記述される番組メタデータを外部から取得し、予約された番組を受信して得られる受信信号を記録媒体に記録し、記録媒体に記録された番組を、操作により選択される再生速度に従って再生し、再生時に、外部からなされる操作の時間を録画した番組の受信開始時刻からの時間に対応させた経過時間とし、再生速度と経過時間とを対応付けた再生履歴情報として生成し、操作履歴情報に含まれる経過時間のうち、再生速度が標準速度より高い速度から標準速度以下の速度に変更して再生された時間部分、又は標準再生速度から標準再生速度より小さな再生速度に変更して再生された時間部分の少なくとも何れか一方の時間部分を検知する一方、検出された時間部分と取得された番組メタデータとを比較して当該時間部分の出演者名を含む個別情報を検出し、嗜好情報に含まれる過去に検出された個別情報と、新たに検出された個別情報とから更新された嗜好情報を生成し、嗜好情報の更新後に、新たに取得した番組メタデータを更新された嗜好情報により検索し、検索された受信番組がある場合には当該受信番組の録画予約を設定させるようにして実現した。
【００１１】
番組記録再生システムの構成について述べる。
図１に示す番組記録再生システムは、チューナ１１、記録再生部１２、制御部１３、操作履歴部１４、及びインタフェース（Ｉ／Ｆ）１５よりなる記録再生装置１と、インタフェース２１、履歴情報取得部２２、嗜好情報解析部２３、嗜好情報更新部２４、番組情報取得部２５、嗜好番組検索部２６、及び録画予約制御部２７よりなる嗜好抽出サーバ２と、インターネット３と、ネットワーク３１と、番組情報サーバ４とで構成される。
図２に示す記録再生装置１の要部である制御部１３は、録画予約設定器１３１、録画制御器１３２、ユーザインタフェース１３３、タイムスタンプ発生器１３４、操作内容選択器１３５、録画／再生番組情報記憶器１３６、及びＥＰＧ（Electronic Program Guide：電子番組案内）情報記憶器１３７より構成される。
図４に示す番組記録再生システムは、チューナ１１、記録部１２ａ、制御部１３ａ、操作履歴部１４、及びインタフェース１５よりなる記録装置１ａと、インタフェース２１、履歴情報取得部２２、嗜好情報解析部２３、嗜好情報更新部２４、番組情報取得部２５、嗜好番組検索部２６、及び録画予約制御部２７よりなる嗜好抽出サーバ２と、インターネット３と、ネットワーク３１と、記録媒体３２と、番組情報サーバ４と、再生部５２、制御部５３、操作履歴部５４、及びインタフェース５５よりなる再生装置５とで構成される。
図５に示す記録部１２ａは、ストリームデコーダ１２１、エンコーダ１２２、記録器１２３、ＰＴＳ（Presentation Time Stamp）比較器１２４、ＰＴＳリストバッファ１２５、及びＭａｒｋ−ＰＴＳバッファ１２６より構成される。
【００１２】
番組記録再生システムの動作について述べる。
まず、記録再生装置１の制御部１３は、番組情報サーバ４から提供されるＥＰＧ情報をインターネット３、ネットワーク３１、及びインタフェース１５を介して取得する。記録再生装置１の使用者は取得したＥＰＧ情報を基に録画する番組を、制御部１３に接続される図示しない操作部を操作して予約する。予約された番組が放送される時間にチューナ１１により受信される番組は、記録再生部１２に格納される図示しないハードディスクなどの記録媒体に記録される。記録された番組は、制御部１３に接続される操作部の再生操作により再生が開始される。使用者は番組の目的部分を視聴するために早送り操作を行ったり、目的の番組部分では標準速度を選択して再生する。使用者が視聴を希望する出演者の画像が再生される場合などには、スロー再生を行うなどにより出演者の衣装や顔の表情などを注視する。希望する出演者の終了後は標準速度や早送りなどにより残りの画像を再生し、又は停止操作により録画した番組の視聴を終了する。操作履歴部１４は、再生された番組に係る操作情報を、録画開始からのタイムコードに相当するＰＴＳの値と共に記述した操作履歴テーブルとして作成する。
【００１３】
嗜好抽出サーバ２の履歴情報取得部２２は、インタフェース２１、ネットワーク３１、及びインタフェース１５を介して操作履歴部１４で作成された履歴情報である操作履歴テーブルを取得する。番組情報取得部２５は、インタフェース２１、ネットワーク３１、及びインターネット３を介して番組情報サーバ４に記憶されている番組情報を取得する。番組情報は電子番組表情報と、その電子番組表情報に記述される受信番組の経過時間ごとの補助情報や付随情報が出演者名を含む番組メタデータとして記述される情報である。嗜好情報解析部２３は、履歴情報取得部２２で取得された操作情報のうち、例えば再生速度が早送りから標準速度になされて再生された番組部分や、繰り返し再生のなされた番組部分や、コマ送りなどで特定の画像が選択されて再生された番組部分を使用者が嗜好する番組部分として認識する。その番組部分のＰＴＳ情報と、番組情報取得部２５が取得した番組メタデータとを比較することによりその番組部分に出演している出演者などのメタデータの部分情報を嗜好情報として得る。嗜好情報更新部２４は、嗜好情報解析部２３で過去に得られた嗜好情報に新たに得られた嗜好情報を加えたヒストグラム（度数分布図）を作成する。度数分布の多い出演者名などのメタデータを使用者の嗜好情報とする嗜好情報更新結果として得る。
【００１４】
嗜好番組検索部２６は、番組情報取得部２５で取得された番組メタデータ中に更新された嗜好情報が含まれるかを検索する。嗜好情報が含まれる番組が存在する場合には、番組情報取得部２５で取得された電子番組表情報を基に嗜好番組が検索されたことを示す情報を記録再生装置１の制御部１３を介して記録再生部１２に送り、図示しない表示器に表示させる。録画予約制御部２７は、度数分布の中で特に度数が上位である嗜好情報がメタデータとして複数含まれる場合には、記録再生部１２に対しその番組の録画予約を設定させる。録画予約が設定されて記録された番組は使用者により操作され、視聴される。視聴中の操作情報が用いられ嗜好情報が取得される。嗜好情報解析部２３では新たに得られた嗜好情報を加えたヒストグラム（度数分布図）を作成することにより、使用者の嗜好が強調された嗜好情報が生成される。新たに受信される番組のメタデータに嗜好が強調された嗜好情報が含まれる場合に、録画予約制御部２７はその番組を自動的に録画する。使用者が番組予約の操作をしない場合であっても嗜好する番組が予約されて記録されるなど、録画忘れが解消される。嗜好情報更新部２４には、使用者の嗜好が強調された嗜好情報が更新され、記憶されていく。
【００１５】
次に、詳細に説明する。
図２を参照して制御部１３について詳述する。
まず、ＥＰＧ情報記憶器１３７にはインターネット３を介して番組情報サーバ４から取得した電子番組表情報が記憶され、録画／再生番組情報記憶器１３６には録画される番組や再生される番組の番組メタデータが記憶される。ユーザインタフェース１３３には図示しない操作パッドの操作情報や、赤外線リモコンキーパッドの操作情報が入力される。ユーザインタフェース１３３は操作情報に応じ次の動作を行わせる。第１の動作は、ＥＰＧ情報記憶器１３７に記憶される電子番組表情報のうち、所望の番組の録画予約を録画予約設定器１３１にさせる動作である。第２の動作は、録画されている番組の再生に際し、録画制御器１３２に対して指定される再生速度での再生を行なわせると一方、録画／再生番組情報記憶器１３６には再生する番組の番組メタデータを読出させ、再生速度を選択する操作が行われた番組部分の再生箇所に係るタイムスタンプをタイムスタンプ発生器１３４に発生させると共に、録画／再生番組情報記憶器１３６に記憶される番組メタデータのうち再生箇所に係るメタデータの部分を読み出させる。
【００１６】
タイムスタンプ発生器１３４は録画された番組の再生中に、再生速度を含めて操作された時刻を番組の開始位置からの時間であるタイムスタンプとして発生させる。操作内容選択器１３５は、タイムスタンプ発生器１３４で発生されたタイムスタンプ値と、その番組の時刻における番組メタデータとにおける特に嗜好する番組として操作された番組部分のタイムスタンプ値と、番組メタデータとを操作履歴部１４に供給する。嗜好する番組として行われる再生操作は、早送り再生又は巻き戻し再生に続けてなされる標準速度での再生や、標準再生中になされるコマ送り再生などが該当する。なお、スチル再生はコマ送り再生と別の再生であるとする。即ち、再生を一時中断し（スチル状態とし）使用者が表示器の前から離れる場合もあり、そのスチル状態は番組内容が嗜好されている内容とは限らないことによる。一方、コマ送り再生は、操作者が表示器の前で画像を注視している場合であると判断できる。
録画予約設定器１３１はユーザインタフェース１３３により設定されて録画予約される一方、嗜好抽出サーバ２の録画予約制御部２７により録画予約が設定される。録画予約の設定情報はインタフェース１５を介して録画予約設定器１３１に入力される。録画制御器１３２は、記録再生部１２の記録（録画）及び再生動作の制御を行う。
【００１７】
図３を参照し、記録再生装置１から嗜好抽出サーバ２に伝送される操作履歴情報のフォーマットについて述べる。
同図に示す操作履歴情報は、使用者の操作した時刻、実際に機器が動作する時刻（タイムスタンプ）、及びデータ・フィールドよりなっている。データ・フィールドは使用者の操作データとその時刻における番組メタデータの部分である番組メタデータ部分からなっている。その操作履歴情報は、使用者の操作毎、一定時間ごと、又は一定量情報が蓄積される毎に記録再生装置１の操作履歴部１４から嗜好抽出サーバ２の履歴情報取得部２２に伝送される。実際に機器が動作する時刻の記述領域は、使用者の操作した時刻と異なる時刻に記録再生装置１を動作させる場合も考慮しての記述領域である。この操作履歴情報のフォーマットは、蓄積された操作履歴と番組情報の送信開始点の管理、又は使用者の嗜好抽出サーバ２からのリクエストにより送信するときなど、伝送すべき時点を指定する時にも用いられる。また、番組メタデータ部分には、例えば録画予約の設定操作を行った場合の操作内容を記述して履歴情報取得部２２に伝送するようにしても良い。頻度が高く録画予約のされる番組に共通する情報を嗜好情報として抽出し、利用する。
【００１８】
図４を参照して番組記録再生システムの応用例について述べる。図１と同じ機能部分には同一の符号を付し説明を省く。
同図に示す番組記録再生システムは、図１のシステムが備える記録再生装置１の代わりに記録装置１ａ、記録媒体３２、及び再生装置５が備えられている。記録部１２ａは記録再生部１２が有する機能のうちの記録の機能を有し、再生部５２は再生の機能を有する。記録装置１ａと再生装置５とは異なる場所に設置され、再生装置５は記録媒体３２に記録された番組信号を再生する。制御部１３ａは制御部１３のうちの記録に係る制御を行い、制御部５３は再生に係る制御を行う。記録に係る操作経歴情報は操作履歴部１４から履歴情報取得部２２に伝送され、再生に係る操作経歴情報は操作履歴部５４から履歴情報取得部２２に伝送される。ここで、制御部１３ａは番組を記録媒体３２に記録する際に、番組部分の順を変更したり、嗜好しない部分をカットして記録するための制御機能をも有している。
【００１９】
図５を参照し、ビットストリームを伝送レートの小さなビットストリームに再エンコードした後に記録媒体３２に記録する記録部１２ａについて述べる。
記録媒体３２に、ハードディスクよりも記録容量の小さな、例えばＤＶＤを用いる場合では、所定の時間に受信されるビットストリームを記録するためのレート変換を行う。ストリームデコーダ１２１は、チューナ１１で受信されるビットストリームを復号して番組信号を得ると共にＰＴＳ値を得る。番組信号は、例えば音声信号の付された動画信号と付加情報信号からなる。ＰＴＳ比較器１２４は、制御部１３ａより得られ、ＰＴＳリストバッファ１２５に記憶される番組メタデータに記述されるＰＴＳ値と、その時刻からの出演者との対応テーブルとを比較し、一致するＰＴＳ値がある場合には一致マーク（Mark）を出力する。エンコーダ１２２はストリームデコーダ１２１で復号された番組信号を低レートで再符号化して伝送レートの小さなビットストリームとして生成する一方、後述の再エンコード前のＰＴＳ値と再エンコード後のＰＴＳ値との対応表を生成する。エンコーダ１２２からは再エンコードされたビットレートの小さなストリームと対応表とが出力される。それらのストリームと対応表とは記録器１２３により記録媒体３２に記録される。エンコーダ１２２からはエンコード開始からの符号化後バイト数カウント値がＭａｒｋ−ＰＴＳバッファ１２６に供給される。Ｍａｒｋ−ＰＴＳバッファ１２６は符号化開始後からのバイト数カウント値及び一致マークに係るマーク−ＰＴＳ信号を共に内蔵されるバッファに記憶する。マーク−ＰＴＳ信号は所定のタイミングで記憶されている信号を制御部１３ａに供給する。
【００２０】
図６を参照し、コンテンツＩＤ（Identifier：識別符号）の伝送フォーマットについて述べる。図３と同一の機能部分には同一の名称を付し、説明を省く。
まず、嗜好番組に係る制御部１３ａの操作内容と、記録された嗜好番組に係る制御部５３の操作内容とは統合的に扱われる必要がある。
同図に示すコンテンツＩＤの伝送フォーマットは、嗜好番組に係りなされる制御部１３ａの操作内容及び制御部５３の操作内容を嗜好抽出サーバ２の履歴情報取得部２２に伝送し、そこで統合的な履歴情報が取得できるようにするための記述形式である。コンテンツＩＤには番組を特定するための識別符号を記述する。コンテンツＩＤは記録媒体３２にも記録される。ビット列には図７に示すＰＴＳテーブルなどのデータが記述される。
【００２１】
ここで、コンテンツＩＤのＭＰＥＧストリームへの重畳方法は、例えばＩＴＵ−Ｈ．２２２．０の付属書Ｈプライベートデータに準じる方法がある。そしてＰＥＳ（Packetized Elementary Stream）パケットのprivate＿stream＿2を用いて重畳する場合は、PES＿packet＿lengthに続いてコンテンツＩＤ（ユニークＩＤ）を記述し、これをストリームの最初に挿入して記録する方法もある。これにより、リムーバブルである記録媒体３２に書き出したコンテンツの特定と使用者の嗜好抽出サーバ２に記憶されている元になるコンテンツのメタデータとの対応付けが可能になる。
【００２２】
図７を参照し、ＰＴＳテーブルについて述べる。
同図に示すＰＴＳテーブルは、チューナ１１で受信して得られるビットストリームの番組開始時刻からのデータ量に係るバイト位置と、そのバイト位置におけるＰＴＳ値とを基とし、エンコーダ１２２で再エンコードして得られるビットストリームに付される再エンコードＰＴＳ値、及び再エンコードされたビットストリームの先頭からのバイト位置との、それぞれの対応関係を示したものである。これらの４つの値は、番組の同一画面（同一シーン）に対して同一の関係の値として４者の対応関係が記述される。なお、ここで記述されるバイト位置としては、例えば特徴点の最も近いＧＯＰ（Group of Picture）先頭の位置をコンテンツの先頭からのバイト数として対応付ける位置としたり、ＭＰＥＧ（moving picture experts group）システム規格で規定され、ＭＰＥＧストリーム中に挿入されるＰＴＳ値の位置としても良い。
【００２３】
受信される番組をノーカットで編集することなく再エンコードして記録媒体３２に記録する場合では、同一の画面に対するＰＴＳ値と再エンコードしたＰＴＳ値とは似通った値のＰＴＳ値になる。しかし、例えば嗜好する番組部分を記録媒体３２の最初の位置に記録したり、嗜好しない番組部分をカットして再エンコードする場合ではＰＴＳ値と再エンコードしたＰＴＳ値とは異なった値となる。嗜好する番組部分は記録媒体３２の最初の部分に記録され、嗜好しない部分は削除されて記録される。嗜好度の高い番組部分ほど十分な編集がなされる。編集状態から使用者が嗜好する番組部分を特定し、精度の高い嗜好情報を得ることが出来る。４者の対応関係を保持しておくことにより精度の高い嗜好情報の抽出が可能となる。
【００２４】
図８を参照して編集の種別と再生の種類とのウエイト付けについて述べる。
嗜好情報解析部２３で解析して得られれた嗜好情報にウエイト付けし、嗜好情報更新部２４で使用者の嗜好度合いに合致した嗜好情報を得させようとするものである。
まず、未編集のコンテンツは、受信して得られた番組を編集することなく記録媒体３２に記録する。複数のビットレートで再エンコードするのは、番組の部分ごとに再エンコードする際のビットレートを受信時と同じ程度の高いレートで再エンコードするか、又は圧縮率を高くした低ビットレートで再エンコードして記録するかを選択する。不要部分をカット編集するのは、嗜好しない番組部分や、ＣＭ部分のカットを指定して再エンコードして記録する場合である。お気に入りシーン集は、複数の番組から選択された番組部分を集めて記録する場合である。
【００２５】
ウエイト付けは、嗜好情報更新部２４で嗜好情報のヒストグラムを作成するに際し、度数情報として反映させるための情報である。例えば、△（三角）印の部分の嗜好情報は０．５度数、□（四角）印の部分の嗜好情報は１度数、○（丸）印の部分の嗜好情報は２度数、そして◎（２重丸）印の部分の嗜好情報は５度数のようにウエイト付けする。５度数は５倍にウエイト付けした度数である。
未編集のコンテンツと低ビットレートで再エンコードしたコンテンツは同じウエイト付けとしてある。スチル動作の場合、未編集のコンテンツや低ビットレートのコンテンツは視聴以外の目的でスチルされる場合が多い。高ビットレートのコンテンツやお気に入りシーン集のコンテンツの場合は画面が注視されてる場合が多く、両者の異なりを考慮したウエイト付けにしてある。これらのウエイト付けは一例である。実際には、コンテンツの再生速度はこれらの再生が組み合わされてなされる。再生速度の組合せや、同一の再生速度が継続された継続時間情報なども考慮してウエイト付けを行い、更に精度の高い嗜好情報を抽出することが出来る。
【００２６】
編集のされ方と再生速度との関わりにより、ウエイト付けした嗜好情報を得る方法について述べた。市場に導入される番組記録装置は、より操作が単純なものと複雑な設定を可能とするものとに２分される傾向にある。本実施例で示した再生速度を基に行う嗜好情報の抽出、自動録画は、単純な機能を有する記録再生装置にも組み込まれる機能である。使用者は複雑な操作に習熟することなく、再生動作を繰り返すことにより嗜好情報が日常的に蓄積、更新される。そして、やがては、嗜好番組が自動的に記録される記録再生装置として動作することになる。
【００２７】
また、本実施例では、受信番組の記録再生装置１と、嗜好情報を抽出する制御部１３とを分けた構成としているため、記録再生装置１の制御部１３に格納される図示しないＣＰＵの負荷を小さく出来る。さらに、嗜好抽出サーバ２は他のＡＶ機器と通信を行うことにより、他の使用者により使用される再生装置で他の使用者の嗜好情報を抽出することもできる。そして、嗜好抽出サーバ２はパソコンを用いて実現したり、ホームサーバ中に組み込まれるＰＣで実現出来る。
また、嗜好抽出サーバ２が接続されるネットワーク３１は家庭内ＬＡＮなどを用いても良い。
そしてまた、再生装置５は、記録媒体５を再生する代わりにネットワーク３１を介して記録部１２ａの例えばハードディスクに蓄積される番組データを読出しながら再生しても、同様の動作を行わせることが出来る。
【００２８】
以上のように、本実施例で示した番組記録再生システムによれば、記録再生装置１は、予約された番組を受信して記録媒体に記録する録画手段１２と、記録媒体に記録された番組を、操作者により選択された再生速度に従って再生する再生手段１２と、再生手段による番組の再生時に、操作者による操作時間を録画手段で録画した番組の受信開始時刻からの時間に対応させた経過時間と、当該経過時間における再生速度とを対応付けた再生履歴情報を生成する履歴情報生成手段１４と、を備えて構成する一方、嗜好抽出サーバ２は、電子番組表情報、及び電子番組表情報に記述される受信番組の経過時間ごとの出演者名を含んで記述される番組メタデータを外部から取得する番組情報取得手段２５と、履歴情報生成手段で生成された操作履歴情報を取得する履歴情報取得手段２２と、操作履歴情報に含まれる経過時間のうち、再生速度が標準速度より速い速度から標準速度以下の速度に変更して再生された時間部分、又は標準再生速度から標準再生速度より遅い再生速度に変更して再生された時間部分の少なくとも何れか一方の時間部分を検知する一方、検出された時間部分と番組情報取得手段で取得された番組メタデータとを比較して番組メタデータに記述される当該時間部分の個別データを検出する個別情報検出手段２３と、嗜好情報に含まれる過去に検出された個別データと、新たに検出された個別データとから更新された嗜好情報を生成する嗜好情報更新手段２４と、嗜好情報の更新後に、新たに取得した番組メタデータを更新された嗜好情報で検索し、検索された受信番組がある場合には記録再生装置の録画手段に当該受信番組の録画予約を設定させる録画予約制御手段２７と、を備えた構成があるので、特に、ユーザによる煩雑な嗜好情報の入力がなされない場合であっても、精度を高められた嗜好イ情報により、ユーザの嗜好に合致した番組を限られた容量の記録媒体に自動的に予約して録画することを可能とする番組記録再生システムを実現できる。
【図面の簡単な説明】
【００２９】
【図１】本発明の実施に係る番組記録再生システムの構成例を示すブロック図である。
【図２】本発明の実施に係る番組記録再生システムの要部の構成例を示すブロック図である。
【図３】本発明の実施に係る番組記録再生システムの動作例を説明するための図である。
【図４】本発明の実施に係る番組記録再生応用システムの構成例を示すブロック図である。
【図５】本発明の実施に係る番組記録再生応用システムの要部の構成例を示すブロック図である。
【図６】本発明の実施に係る番組記録再生応用システムの動作例を説明するための図（その１）である。
【図７】本発明の実施に係る番組記録再生応用システムの動作例を説明するための図（その２）である。
【図８】本発明の実施に係る番組記録再生応用システムの動作例を説明するための図（その３）である。
【符号の説明】
【００３０】
１    記録再生装置
１ａ    記録装置
２    嗜好抽出サーバ
３    インターネット
４    番組情報サーバ
５    再生装置
１１    チューナ
１２    記録再生部
１２ａ    記録部
１３、１３ａ、５３    制御部
１４、５４    操作履歴部
１５、２１、５５    インタフェース
２２    履歴情報取得部
２３    嗜好情報解析部
２４    嗜好情報更新部
２５    番組情報取得部
２６    嗜好番組検索部
２７    録画予約制御部
３１    ネットワーク
３２    記録媒体
５２    再生部
１２１    ストリームデコーダ
１２２    エンコーダ
１２３    記録器
１２４    ＰＴＳ比較器
１２５    ＰＴＳリストバッファ
１２６    Ｍａｒｋ−ＰＴＳバッファ
１３１    録画予約設定器
１３２    録画制御器
１３３    ユーザインタフェース
１３４    タイムスタンプ発生器
１３５    操作内容選択器
１３６    録画／再生番組情報記憶器
１３７    ＥＰＧ情報記憶器
【図１】
2008301190.tif 000003
【図２】
2008301190.tif 000004
【図３】
2008301190.tif 000005
【図４】
2008301190.tif 000006
【図５】
2008301190.tif 000007
【図６】
2008301190.tif 000008
【図７】
2008301190.tif 000009
【図８】
2008301190.tif 000010